(57)【要約】【課題】抗コケ及び／又は抗地衣剤としてのグリセリンの使用の提供。【解決手段】本発明は、抗コケ及び／又は抗地衣剤としてのグリセリンの使用に関する。本発明は更に、コケ及び／又は地衣で覆われた表面を、グリセリン、又は、界面活性剤及び／又は有機酸若しくはその塩の１つを含むグリセリン組成物水溶液を使用して処理する方法に関する。【選択図】なし【特許請求の範囲】
【請求項１】
抗コケ及び／又は抗地衣剤としてのグリセリンの使用。
【請求項２】
グリセリンは純粋又は水溶液である
ことを特徴とする請求項１に記載の使用。
【請求項３】
グリセリンを９９重量％〜２０重量％含むコケ及び／又は地衣の除去用組成物を調製するための請求項１又は２に記載の使用。
【請求項４】
前記組成物のｐＨは５〜９である
ことを特徴とする請求項１〜３のいずれか１項に記載の使用。
【請求項５】
前記組成物は、エトキシ化アルコール類、特にポリオキシエチレン  ２−エチルヘキシルエーテル、ジオクチルスルホコハク酸ナトリウム、ラウリルエーテル硫酸塩及びアルキルポリグルコシド類（Ｃ８鎖）から選択される界面活性剤と混合されたグリセリンを含む
ことを特徴とする請求項１〜４のいずれか１項に記載の使用。
【請求項６】
前記組成物は、グルコン酸、プロピオン酸、乳酸、酢酸、ギ酸、クエン酸及びこれらの塩の１つから選択される有機酸を含む
ことを特徴とする請求項１〜５のいずれか１項に記載の使用。
【請求項７】
前記有機酸は、グルコン酸又はその塩の１つである
ことを特徴とする請求項６に記載の使用。
【請求項８】
前記有機酸はグルコン酸ナトリウムである
ことを特徴とする請求項７に記載の使用。
【請求項９】
前記組成物はテクニカルグレードのグリセリンを好ましくは６５％含む
ことを特徴とする請求項１〜８のいずれか１項に記載の使用。
【請求項１０】
コケは、Ｌｅｕｃｏｂｒｙｕｍ、Ｂｒｙｕｍ、Ｍｎｉｕｍ、Ａｎｄｒｅａｌｅｓ及びＳｐｈａｇｎａｌｅｓを含む群から選択される
ことを特徴とする請求項１〜９のいずれか１項に記載の使用。
【請求項１１】
地衣は、皮殻質の地衣、繊維状の地衣、ふさふさした地衣及びゼラチン状の地衣を含む群から選択される
ことを特徴とする請求項１〜１０のいずれか１項に記載の使用。
【請求項１２】
０．５〜５重量％の有機酸又はその塩の１つと混合されたグリセリンを含む
ことを特徴とするコケ及び／又は地衣の除去用組成物。
【請求項１３】
コケ及び地衣で覆われた表面を処理する方法であって、
９９重量％〜２０重量％のグリセリンを含む組成物を前記表面に塗布する
ことを特徴とする方法。
【請求項１４】
請求項１３に記載の表面を処理する方法であって、
前記表面は、セメント、コンクリート、スレート、石、タイル、及び、テニスコート又は陸上競技用トラックの表面から選択される
ことを特徴とする方法。
【請求項１５】
請求項１３又は１４に記載の表面を処理する方法であって、
−十分量のコケ及び／又は地衣の除去用組成物を手で又は機械的に（低圧噴霧器を使用して）塗布し、かつ、
−この組成物を、雨にさらさずに２４〜４８時間作用させる
ことを特徴とする方法。
【発明の詳細な説明】
【技術分野】
【０００１】
本発明は、抗コケ及び／又は抗地衣剤としてのグリセリンの使用に関する。
【０００２】
詳細には、本発明は、コケ及び／又は地衣の除去用組成物を調製するためのグリセリンの使用に関する。
【０００３】
最後に、本発明は、コケ及び／又は地衣で覆われた表面をグリセリンを使用して処理する方法に関する。
【背景技術】
【０００４】
地衣は葉緑素を含む植物であり、特に木、石、タイル及びガラス等の様々な基質上で増殖する。地衣は、単細胞藻類と菌類（多くの場合は子嚢菌）との共生によって形成される。
【０００５】
コケは葉緑素を含む小さな植物（長さ数センチメートル）で、一般的に湿気のある日陰に生息する。
【０００６】
従って、ファサード又は床又は壁の下部にコケ及び／又は地衣がある場合、これは湿気が常に又は度々あるというしるしであることが多い。
【０００７】
地衣及びコケは多様な物質にコロニーを作ることができ、例えば非常に長期間植わっている場合には、ファサード又は床を損傷させる可能性がある。
【０００８】
コケ及び／又は地衣は多様な表面にとって、危険で滑りやすくなるために望ましくない。
【０００９】
コケ及び／又は地衣の増殖を防ぐための、又は、よくても、妥当な環境毒物学的条件において除去するための解決策は、少数しか提案されていない。
【００１０】
ファサード及び／又はコンクリートの床を清掃するための技術がいくつかある。
【００１１】
最も広く用いられている技術は恐らく、加圧条件下、又は、化学物質を使用して、これらを液体又は研磨剤と共に吹きつけることによって、表面を清掃するものである。これらの技術の多くは、処理した表面の上の被覆物を損傷させる可能性がある。
【００１２】
石造部分の清掃に通常使用される化学物質は、腐食性が強く、かつ、有毒である場合が多い。塗布するために特殊な装置を使用し、かつ、塗布中に保護用のつなぎを着用する必要がある可能性がある。更に、これを使用するためには、建物の他の部分及び周囲の木や低木も保護する必要がある。
【００１３】
コケ及び地衣による生物有機的な覆いは、抗コケ化学物質又は又は殺地衣剤（ｌｉｃｈｅｎｉｃｉｄｅ）を使用することによっても除去できる。
【００１４】
しかし、市販品の多くは、次亜塩素酸ナトリウム又は第四級アンモニウム塩に基づくものであり、処理した表面にとって有害であったり（腐食現象の加速）、芝生や植物にとって有毒であったり、また使用者にとっても危険（やけどの危険）がある可能性がある。
【００１５】
またファサードも、これを覆う物質を機械的に「はがす」ことによって清掃することができる。従って、ファサードの清掃については非特許文献１にグリセリン／ポリビニルアルコールの使用が教示されており、これが、処理する表面に塗布された後で重合して、重合したフィルムを剥離することによって機械的に清掃できる。
【非特許文献１】“Ｃｏｍｐａｒａｔｉｖｅ  ｓｔｕｄｙ  ｏｆ  ｃｌｅａｎｉｎｇ  ｔｅｃｈｎｉｑｕｅｓ  ａｐｐｌｉｅｄ  ｔｏ  ａｎｃｉｅｎｔ  ｃｏｎｃｒｅｔｅ”（Ｒｅｓｅａｒｃｈ  ｌａｂｏｒａｔｏｒｙ  ｆｏｒ  ｈｉｓｔｏｒｉｃ  ｍｏｎｕｍｅｎｔｓ；  ＣＡＮ  １３４：  ２４１４５６  ＡＮ  ２００１：  ９０８０５
【発明の開示】
【発明が解決しようとする課題】
【００１６】
従って、問題は、環境に害を与えず、かつ、処理した表面を傷つけずに、壁、屋根及び／又は床の表面に蓄積したコケ及び／又は地衣を除去する方法を見つけることである。
【課題を解決するための手段】
【００１７】
本出願人は予想外にも、グリセリンは抗コケ及び／又は抗地衣の効果を有していて、この問題を解決できるということを発見した。
【００１８】
グリセリンは無臭かつ無色で、室温で粘性のある物質である。さらに、グリセリンは、特に湿度の高い雰囲気下において生分解性がある。
【００１９】
グリセリンは多くの医薬品、化粧品及び工業製品において使用されている。またこれ自身は、石鹸やろうそくを製造する際の副産物である。
【００２０】
グリセリンは、例えば柔軟仕上げ剤として使用されるが、様々な水性塗料用の乾燥遅延剤として、又は、滑剤としても使用される。
【００２１】
従来技術には、抗コケ又は抗地衣剤としての使用可能性を開示又は示唆する文献はない。
【００２２】
こうして、グリセリン及びこれを含む組成物は抗コケ及び抗地衣効果を示すことを発見し、これは本発明の基礎を構成する。
【００２３】
本特許出願は更に、コケ及び／又は地衣の除去用組成物を調製するためのグリセリンの使用を含むことも目的とする。
【００２４】
この組成物は、９９重量％〜２０重量％のグリセリンを水溶液中に含むことが好ましい。
【００２５】
この組成物はテクニカルグレードのグリセリンを６５％含むことが好ましい。
【００２６】
有利には、この組成物のｐＨは５〜９である。
【００２７】
グリセリンの効力（例えば湿潤性）は、組成物に界面活性剤を添加することによって改善される場合がある。
【００２８】
物質の湿潤性は、表面に広がる能力である。
【００２９】
界面活性剤は、既知の非イオン性界面活性剤及びイオン性界面活性剤からなる群より選択され得る。
【００３０】
本発明の範囲内において最も有効な界面活性剤は、エトキシ化アルコール類、特にポリオキシエチレン  ２−エチルヘキシルエーテル、ジオクチルスルホコハク酸ナトリウム、ラウリルエーテル硫酸塩及びアルキルポリグルコシド類（Ｃ８鎖）から有利に選択される。
【００３１】
本発明の組成物は、界面活性剤を０．１〜５重量％含むことが好ましい。
【００３２】
具体的な一実施形態において、本発明の組成物は、特に地衣及びコケが白亜質の基質にはりついている場合に、「すり磨く」効力を増大させるために有機酸も含み、これによって、除去が容易になる。
【００３３】
本発明の範囲内において使用できる有機酸は、グルコン酸、プロピオン酸、乳酸、酢酸、ギ酸、クエン酸及びこれらの塩の１つから、その効力の順に選択される。
【００３４】
本発明の組成物は、有機酸又はその塩の１つを０．５〜５重量％含むことが好ましい。
【００３５】
本発明に従ってこの方法で調製される好ましい組成物は、０．５〜５重量％のグルコン酸又はその塩の１つ、好ましくはグルコン酸ナトリウム、と混合されたグリセリンを含む。
【００３６】
本発明の主題を形成するグリセリン及び／又はこれを含む組成物は特に、皮殻質の地衣、繊維状の地衣、ふさふさした地衣、及び／又は、ゼラチン状の地衣を含む群（これに限定されない）に属する地衣を処理するために有用である。
【００３７】
例としては、一般的なオレンジ色の地衣（Ｘａｎｔｈｏｒｉａ  ｐａｒｉｅｔｉｎａ）、Ｃａｌｏｐｌａｃａ  ｍａｒｉｎａ、ａｃａｒｏｓｐｏｒｅ（Ａｃａｒｏｓｐｏｒａ  ｃｈｌｏｒｏｐｈａｎａ）、ｇｒａｙ  ｐａｒｍｅｌｉａ（Ｈｙｐｏｇｙｍｎｉａ  ｐｈｙｓｏｄｅｓ）、ｃｌｏａｋ  ｐａｒｍｅｌｉａ（Ｐａｒｍｅｌｉａ  ｃａｐｅｒａｔａ）、Ｐａｒｍｅｌｉａ  ｓｕｌｃａｔａ、ｆｏｌｉｏｓｅ  ｌｉｃｈｅｎｓ（Ｐｈｙｓｃｉａ）、ｃｏｐｐｅｒｙ  ｐａｒｍｅｌｉａ（Ｐａｒｍｅｌｉａ  ａｃｅｔａｂｕｌｕｍ）、皮殻質の地衣類（Ｌｅｃａｎｏｒａ）、Ａｓｐｉｃｉｌｉａ  ｃｏｎｔｏｒｔａ、Ｘａｎｔｈｏｐａｒｍｅｌｉａ、Ｒｈｉｚｏｐｌａｃａ  ｃｈｒｙｓｏｌｅｕｃａ及びＲｈｉｚｏｐｌａｃａ  ｍｅｌａｎｏｐｈｔｈｅｒａを挙げることができる。
【００３８】
同様に、グリセリン及び／又は本発明の組成物で処理できるコケは、Ｌｅｕｃｏｂｒｙｕｍ、Ｂｒｙｕｍ、Ｍｎｉｕｍ、Ａｎｄｒｅａｌｅｓ及びＳｐｈａｇｎａｌｅｓを含む群に属するものであるが、これに限定されない。
【００３９】
別の特徴によれば、本発明は更に、コケ及び地衣で覆われた表面をグリセリンを使用して処理する方法にも関する。
【００４０】
コケ及び地衣を除去するための本発明による方法は、一般的に、９９重量％〜２０重量％のグリセリンを含む組成物を表面に、具体的には手で又は機械的に（低圧噴霧器を使用して）、塗布するものである。
【００４１】
使用される抗コケ及び／又は抗地衣物質の量は、表面積、並びに、処理する表面に存在するコケ及び／又は地衣の密度に依存する。
【００４２】
一般的に、グリセリンに基づく組成物１リットルで、５〜２０ｍ２の範囲を処理できる。
【００４３】
こうして塗布された組成物は、その後、２４〜４８時間作用することができる。
【００４４】
物質を塗布する前に、処理する表面を大まかに（ブラシ又はスパチュラで）清掃する必要はない。
【００４５】
本発明によるコケ及び地衣の除去は日当たりのよい気候条件によって促進されるということが分かっている。
【００４６】
従って、雨は、地衣及び／又はコケで汚染された表面を処理する本発明による方法にとっては望ましくない。
【００４７】
この処理は、基質の暴露によって周期的に繰り返すことができる。
【００４８】
本発明による組成物の作用は、２４〜４８時間以内、好ましくは２４時間以内である。
【００４９】
これによって、コケ及び地衣は事実上迅速かつ自然に除去され得る。除去率は、大気条件（風及び雨による洗浄）に依存し得、かつ、数日から数週間の間で変化するであろう。
【００５０】
これらの植物は、やさしくブラシをかけることによっても除去することができる。
【００５１】
本発明による方法は異なる表面上でも実施でき、とりわけ以下のものを挙げることができる：セメント、コンクリート、スレート、石、タイル、及び、テニスコート又は陸上競技用トラックの表面。
【発明を実施するための最良の形態】
【００５２】
本発明は下記の実施例においてより詳細に例証されるが、これに限定されない。
【実施例１】
【００５３】
＜コケ及び／又は地衣を除去するためのグリセリンに基づく組成物＞
調製物１
−  グリセリン：                                      ６５％
−  水：                                              ３５％
【００５４】
調製物２
−  グリセリン：                                      ５０％
−  グルコン酸：                                        ５％
−  ポリオキシエチレン  ２−エチルヘキシルエーテル：    ２％
−  水：                                              ４３％
【００５５】
調製物３
−  グリセリン：                                      ５０％
−  グルコン酸ナトリウム：                              ５％
−  ポリオキシエチレン  ２−エチルヘキシルエーテル：    ２％
−  水：                                              ４３％
【００５６】
調製物４
−  グリセリン：                                      ５０％
−  グルコン酸ナトリウム：                              ５％
−  ジオクチルスルホコハク酸ナトリウム：            ０．２％
−  水：                                          ４４．８％
【００５７】
調製物５
−  グリセリン：                                      ５０％
−  グルコン酸ナトリウム：                              ５％
−  ラウリルエーテル硫酸ナトリウム：                    １％
−  水：                                              ４４％
【００５８】
調製物６
−  グリセリン：                                      ５０％
−  プロピオン酸：                                      １％
−  ポリオキシエチレン  ２−エチルヘキシルエーテル：    ２％
−  水：                                              ４７％
【００５９】
調製物７
−  グリセリン：                                      ２０％
−  プロピオン酸：                                      ２％
−  ポリオキシエチレン  ２−エチルヘキシルエーテル：    ３％
−  水：                                              ７５％
【実施例２】
【００６０】
本発明の組成物の特性は、以下に記載する実験を実施することによって実証された。
【００６１】
＜実験１＞
＜グリセリンに基づく組成物の抗コケ及び抗地衣効果の実証＞
最初に、抗コケ及び／又は抗地衣組成物を、適切な容器の中で、必要量のグリセリンを水中に室温で溶解させることによって調製し、グリセリンを９９重量％、６５重量％又は２０重量％含む溶液を得る。
【００６２】
抗コケ及び／又は抗地衣組成物をこの温度において、ノズル付きの容器の中に入れたままにし、そのノズルによってこの物質を垂直又は水平面上にスプレーする。
【００６３】
グリセリンを含む組成物は、即時使用又は長期貯蔵に好適である。
【００６４】
グリセリンを９９重量％、６５重量％又は２０重量％含み、グルコン酸を含む又は含まない抗コケ及び／又は抗地衣組成物の十分量を、本発明の方法によって、皮殻質の地衣、ゼラチン状の地衣及びコケで覆われた３つの異なる表面に塗布する。
【００６５】
３つの処理について、上記グリセリン組成物で処理した後、３週間の一定期間をあけて、目視で定期的に観察した。
【００６６】
＜結果＞
ゼラチン状の地衣については、グリセリンに基づく全ての組成物で処理した表面を覆っていた緑色の葉状体は、界面活性剤を使用して又は使用せずに、５日後にはほぼ完全に除去される。
【００６７】
皮殻質の地衣については、グリセリンに基づく組成物で１７時間、界面活性剤を使用して又は使用せずに、処理した後で、葉状体の色変化（黄色から緑がかった褐色へ）が観察される。
【００６８】
コケについては、グリセリンに基づく組成物で、界面活性剤を使用して又は使用せずに、処理した４日後に、褐色の着色が観察される。
【００６９】
２４時間〜４８時間後、処理していないコケ及び地衣と比較して、コケ及び地衣の外観の変化が観察される。コケ及び地衣変化の色は、緑色から薄茶色になり、その後暗褐色になる。この最終段階において、コケ及び地衣はその基質から徐々に離れる。
【００７０】
コケ及び地衣は、長時間機械的な作用を与えなくても除去される。しかし、機械的に洗い流したり、又は、水ジェットを使用することによって、上記の除去を加速させることができる。コケ及び地衣の再生は、除去して３か月後には観察されない。
【００７１】
＜結論＞
純粋グリセリンは、コケ及び／又は地衣の除去において有効である。グリセリンは２０％まで希釈しても、その抗コケ及び／又は抗地衣効果が損なわれない。
【００７２】
グルコン酸を５％及びグリセリンを９５％を含む組成物は、純粋グリセリンよりも、皮殻質の地衣に対してわずかに効果が高い。グリセリンを２０又６５％を含む溶液と純粋グリセリン（９９重量％）を含む溶液とでは、ゼラチン状の地衣の除去について改良は実証されなかった。
【００７３】
一般的に、コケ及び／又は地衣の除去における改良は、グリセリン及び有機酸又はその塩の１つを含む組成物を使用する場合に観察される。
【国際調査報告】
2008522587.tif 000002
2008522587.tif 000003
2008522587.tif 000004
2008522587.tif 000005